(57)【要約】  【課題】  テントの利用者が視覚的に楽しめるテントを提供すること。  【解決手段】  テントは、自然風や人工風などの大気流を受けて、テント膜が押し上げられたり押し下げられたりと、そのテント膜が上下両面の凹凸を反転させながら不規則に上下に揺れ動き（浮き沈み）、その形態を時々刻々と変化することができ、かかる変化により風の動き（流れ）やその強さを視覚化できる。この風の視覚化によって、かかるテントを利用する者やこれを観る者に対し、視覚を通じて風を感じたり、本来見えない風を視覚的に観賞する環境を提供できる。【選択図】        図１１
2019178553.tif 000002
【特許請求の範囲】
【請求項１】
可撓性を有するシート材で形成され無風状態で下向き凸状に垂れ下がるテント膜と、
そのテント膜を空中で支える支持部材とを備えていることを特徴とするテント。
【請求項２】
前記テント膜は、無風状態で下向きに凹状となる上面と、無風状態で下向きに凸状になる下面とを有し、その凸状の下面の頂部と前記凹状の上面の底部とを繋ぐ貫通孔を備えていることを特徴とする請求項１記載のテント。
【請求項３】
前記貫通孔は、固定部材が前記テント膜の下方に垂れ下がった状態で、その固定部材の一端部が取り付け可能となっていることを特徴とする請求項２記載のテント。
【請求項４】
前記貫通孔に一端部が取り付けられるとともに、地面、その地面の定着物若しくは重量物に他端部が取り付けられ、又は、自らが重量物となる前記固定部材を備えていることを特徴とする請求項２又は３に記載のテント。
【請求項５】
前記固定部材は、前記貫通孔と内周部が連通して取り付けられる管状体、又は、前記貫通孔に貫通して当該貫通孔に取り付けられる棒状体若しくは紐状体であることを特徴とする請求項２から４のいずれかに記載のテント。
【発明の詳細な説明】
【技術分野】
【０００１】
本発明は、日除けや雨除けとして使用可能なテントに関するものである。
【背景技術】
【０００２】
従来のイベント用テントや集会用テントなどの種々のテントは、日除けや雨除けとして広く使用されているものの、その外観に何の変化もなく、その視覚的効果にも乏しく、イベントや集会などで使用しても来場者やスタッフなどのテント利用者に対して視覚的に何らかの印象的な効果を付与することができないものであった。
【先行技術文献】
【特許文献】
【０００３】
【特許文献１】特開２０１７−１９０５７８号公報
【発明の概要】
【発明が解決しようとする課題】
【０００４】
しかしながら、各種のイベントや集会の成功のためには、来場者やスタッフなどが五感を通じてイベントを楽しめる環境づくりも重要であり、イベントや集会で多数使用されるテントについても、このテントを利用する来場者やスタッフが視覚的に楽しめるものが求められるところ、イベントや集会などの来場者やスタッフの視覚に対して直接的かつ効果的に訴えるようなものが存在せず又は数少ないという問題点があった。
【０００５】
本発明は、上述した問題点を解決するためになされたものであり、テントの利用者が視覚的に楽しめるテントを提供することを目的としている。
【課題を解決するための手段】
【０００６】
この目的を達成するために第１発明のテントは、可撓性を有するシート材で形成され無風状態で下向き凸状に垂れ下がるテント膜と、そのテント膜を空中で支える支持部材とを備えている。
【０００７】
この第１発明のテントによれば、テント膜が可撓性を有するシート材で形成されており、このテント膜は、支持部材により空中で支えられることで、無風状態で下向きに凸状に垂れ下がっているので、自然風や人工風などの大気流がテント膜の上又は下を流れることで、このテント膜が上向きに凸状に膨れ上がった状態と、下向きに凸状に垂れ下がった状態との間で、その形態を不規則に変化させながら、テント膜がその上下の凹凸を不規則に入れ替ながら反転してテント膜全体として上下に大きく揺れ動くことができる。
【０００８】
第２発明のテントは、第１発明のテントにおいて、前記テント膜は、無風状態で下向きに凹状となる上面と、無風状態で下向きに凸状になる下面とを有し、その凸状の下面の頂部と前記凹状の上面の底部とを繋ぐ貫通孔を備えている。
【０００９】
この第２発明のテントによれば、第１発明のテントと同様に作用するうえ、大気流がテント膜の下面側に流れ込んでテント膜を上向きに押し上げることで、テント膜が上向きに凸状の形態となるとき、大気流を貫通孔を通じてテント膜の下面側から上面側へ逃がすことができ、大気流で押し上げられたテント膜とそれを支持する支持部材とを繋ぐ部分に過負荷が加わることを防止して、テント膜の破損を防止できる。
【００１０】
また、大気流がテント膜の上面側に流れ込んでテント膜を下向きに押し下げることで、テント膜が下向きに凸状の形態となるとき、大気流を貫通孔を通じてテント膜の上面側から下面側へ逃がすことができ、大気流で押し下げられたテント膜とそれを支持する支持部材とを繋ぐ部分に過負荷が加わることを防止して、テント膜の破損を防止できる。
【００１１】
第３発明のテントは、第２発明のテントにおいて、前記貫通孔は、固定部材が前記テント膜の下方に垂れ下がった状態で、その固定部材の一端部が取り付け可能となっている。
【００１２】
第４発明のテントは、第２又は第３発明のテントにおいて、前記貫通孔に一端部が取り付けられるとともに、地面、その地面の定着物若しくは重量物に他端部が取り付けられ、又は、自らが重量物となる前記固定部材を備えている。
【００１３】
この第３発明のテントによれば第２発明のテントと同様に作用するうえ、又、第４発明のテントによれば第２又は第３発明のテントと同様に作用するうえ、固定部材の一端部をテント膜の貫通孔に取り付けるとともに、固定部材の他端部を地面、その地面の定着物若しくは重量物に取り付けられ又は自らが重量物となることで、テント膜が風で上方に吹き上がることを防止できる。
【００１４】
第５発明のテントは、第２から第４発明のテントのいずれかにおいて、前記固定部材は、前記貫通孔と内周部が連通して取り付けられる管状体、又は、前記貫通孔に貫通して当該貫通孔に取り付けられる棒状体若しくは紐状体である。
【００１５】
この第５発明のテントによれば、第２から第４発明のテントのいずれかと同様に作用するうえ、管状体の固定部材によれば、テント膜の凹状をした上面にある雨水や融雪水などなど（以下「雨水等」という。）を貫通孔から排水して管状体の内周部を通じて地面へ向かって流下させることができる。また、棒状体又は紐状体の固定部材によれば、これらが貫通孔を貫通していることで、テント膜の凹状をした上面にある雨水等を貫通孔から排水して固定部材を伝って地面へ向かって流下させることができる。
【発明の効果】
【００１６】
本発明のテントによれば、テント膜自体が日除けや雨除けとして機能を発揮しながら、大気流の影響を受けてテント膜が不規則に上下に揺れ動く様相を呈するので、テント膜が生きものように不規則に揺れ動くという幻想的な視覚的演出効果を発揮できるという効果がある。また、例えば、このテントを複数並べて設置することで、複数のテント膜が互いに不規則に上下に揺れ動くことで、全体として大きな波を描くように揺れ動くという壮大な風景も造り出すことができるという効果もある。よって、イベントや集会などで使用した場合、来場者やスタッフなどのテント利用者が、テントを観て楽しめるという視覚的演出を付与できるという効果がある。
【図面の簡単な説明】
【００１７】
【図１】本実施例のテントの正面図である。
【図２】テントの右側面図である。
【図３】テントの平面図である。
【図４】テント膜の部品図であって、（ａ）は、テント膜の平面図であり、（ｂ）は、テント膜の正面図である。
【図５】（ａ）は、図４（ａ）の部分的拡大図であって連結具の拡大平面図であり、（ｂ）は、図４（ａ）の部分的拡大図であってテント膜の貫通孔の拡大平面図であり、（ｃ）は、（ｂ）のＶｃ−Ｖｃ線における縦断面図であって貫通孔の断面図である。
【図６】支持部材の平面図である。
【図７】支持部材の拡大正面図である。
【図８】支持部材の拡大右側面図である。
【図９】（ａ）は、図７（ａ）のＩＸａ−ＩＸａ線における横断面図であり、（ｂ）は、図７（ａ）のＩＸｂ−ＩＸｂ線における横断面図である。
【図１０】（ａ）は、図７（ａ）のＸａ−Ｘａ線における横断面図であり、（ｂ）は、図７（ａ）のＸｂ−Ｘｂ線における横断面図である。
【図１１】（ａ）は、テント膜が上方に押し上げられた状態を示したテントの縦断面図であり、（ｂ）は、テント膜が下方に垂れ下がった状態を示したテントの縦断面図である。
【図１２】本実施例のテントの設置例を示した正面図である。
【図１３】図１２の設置例に係るテントの変形例を示した正面図である。
【図１４】本実施例のテントの別の設置例を示した平面図であって、（ａ）は、支持部材の設置状態を示した平面図であり、（ｂ）は、（ａ）に示す支持部材を使用したテントの設置状態を示した平面図である。
【図１５】第２実施例のテントの縦断面図である。
【図１６】図１５の部分的拡大図であって固定部材の構造を拡大視した図である。
【図１７】第３実施例のテントの拡大縦断面図であって、第２実施例とは異なる固定部材の構造を図示したものである。
【図１８】（ａ）は、第４実施例のテントの縦断面図であり、（ｂ）は、第５実施例のテントの縦断面図である。
【発明を実施するための形態】
【００１８】
以下、添付図面を参照して本発明の実施形態について説明する。本実施形態のテント１，２０，３０，４０，５０は、可撓性を有するシート材で形成され無風状態で下向き凸状に垂れ下がるテント膜２と、そのテント膜２を空中で支える支持部材３，５１とを備えている。
【００１９】
テント膜２は、無風状態で下向きに凸状になる下面２ａと、無風状態で下向きに凹状となる上面２ｂとを有している。貫通孔２ｃは、テント膜２の下向きに凸状をした下面２ａの頂部２ａ１から下向きに凹状をした上面２ｂの底部２ｂ１まで貫通している。
【００２０】
また、貫通孔２ｃは、その内周部に固定部材１１，２１が貫通しており、テント膜２の下方に垂れ下がっている。貫通孔２ｃは、そこに固定部材１１，２１の一端部が取り付け可能となっている。固定部材１１，２１は、貫通孔２ｃに一端部が取り付けられるとともに、地面Ｇ、その地面Ｇの定着物若しくは重りなどの重量物１３に他端部が取り付けられる。または、固定部材１１は、貫通孔２ｃに一端部が取り付けられて、それ自らがテント膜２を下向きに引っ張る重りとなる。
【００２１】
固定部材１１は、紐状体である。また、固定部材２１は、貫通孔２ｃと内周部２１ａが連通して取り付けられる管状体である。なお、固定部材は、貫通孔２ｃに貫通して当該貫通孔２ｃに取り付けられる棒状体でも良い。
【実施例】
【００２２】
図１は、本実施例のテント１の正面図であり、図２は、テント１の右側面図であり、図３は、テント１の平面図である。本実施例のテント１は、後述するテント膜２の連結具２ｅを支持部材３の連結環３ｃに巻き付けて繋いでいる形態を除いて、その左側面図は右側面図と対称であり、背面図は正面図と同一である。
【００２３】
図１から図３に示すように、本実施例のテント１は、テント膜２と、支持部材３とを備えている。図１及び図２に示すように、テント膜２は、軽量で柔軟性(可撓性)と防水性とを有したシート材で形成されており、無風状態で下向きに凸状になる下面２ａと、無風状態で下向きに凹状となる上面２ｂとを有している。
【００２４】
このテント膜２は、支持部材３によって空中で支えられており、テント設置面Ｇから離れた上方に吊り下げられている。また、テント膜２は、支持部材３により空中で支えられることで無風状態で下向き凸状に垂れ下がっており、さらに弛みのある状態で空中に支えられることで大気流の力で揺れ動きやすくなっている。
【００２５】
支持部材３は、テント膜２をテント設置面Ｇから上方に離れた空中で吊り下げるように支持している。この支持部材３は、テント膜２を支持する複数本の支柱３ａと、その支柱３ａ同士を接続して補強する複数本の梁３ｂとを備えている。全ての支柱３ａ及び梁３ｂはいずれも同一サイズであるので、これら支柱３ａ及び梁３ｂの生産性も効率的となるとともに、その収納や運搬の際にも積み上げやすく、積み上げて収納した状態も整頓された見た目となる。
【００２６】
テント空間４は、支持部材３により空中に支持されるテント膜２とテント設置面Ｇとの間に設けられる空間である。このテント空間４は、テント１内で人が居住や滞在する空間であり、自然風や人工風などの大気流が出入りする空間でもある。
【００２７】
通気用開口８は、テント空間４に大気流を出入りさせるため、支持部材３の支柱３ａ，３ａ間に設けられる開口である。この通気用開口８には、梁３ｂの上側であって隣り合う支柱３ａ，３ａ間においてテント膜２と梁３ｂとの間にできる上部開口８ａと、梁３ｂの下側であって隣り合う支柱３ａ，３ａ間にある人の出入口としても兼用される下部開口８ｂとがある。
【００２８】
通気用開口８を通じてテント空間４に出入りする大気流は、テント膜２を上方へ押し上げたり（図１１（ａ）参照）、テント膜２を下方に押し下げたりする（図１１（ｂ）参照。）。このテント空間４に出入りする自然風や人工風などの大気流は、テント膜２の上面２ｂ及び下面２ａの凹凸を不規則に上下反転させてテント膜２を上下に不規則に揺れ動かして、テント膜２を図１１（ａ）又は図１１（ｂ）に示す形態の一方から他方へと不規則に変化させる。
【００２９】
例えば、本実施例のテント１の支持部材３は、４本の支柱３ａ及び４本の梁３ｂを備えている。これら支柱３ａ及び梁３ｂはいずれも、例えば、断面形状が縦横６０ｍｍ×６０ｍｍの正方形状で、長さが２７００ｍｍの同一形状の角材で形成されている。このため、テント１全体として柱芯で２７００ｍｍ四方の約４．５畳程度の平面スペースのテント空間４を作り出すことができる。
【００３０】
また、支柱３ａや梁３ｂには木材が使用されており、金属製のフレームを用いたテント１に比べて、これを観たり触れたりする者の心情に対して自然の温かみや環境に配慮した印象を与えることができる。また、この支柱３ａや梁３ｂに使用する木材には自然林地残材などの廃材も使用することができる。
【００３１】
図３に示すように、テント膜２の平面視中央には、平面視正方形状の貫通孔２ｃが形成されている。この貫通孔２ｃは、図１及び図２に示すように、無風状態で下向きに凸状をしたテント膜２の下面２ａの頂部２ａ１と、無風状態で下向きに凹状をしたテント膜２の上面２ｂの底部２ｂ１とを繋ぐように貫通している。換言すると、貫通孔２ｃは、テント膜２における無風状態で下向きに突出した凸面状の下面２ａの頂部２ａ１から無風状態で下向きに凹んだ凹面状の上面２ｂの底部２ｂ１まで貫通している。
【００３２】
図４（ａ）は、テント膜２の平面図であり、図４（ｂ）は、テント膜２の正面図である。また、テント膜２は、その左右側面図及び背面図が正面図と同一であり、その底面図が平面図と同一である。
【００３３】
図４（ａ）に示すように、テント膜２は、平面視すると正方形状をしており、テント膜２の上端部２ｄは、４つの縁辺で平面視ロ字状に囲われた額縁状となっている。このテント膜２の額縁状をした上端部２ｄの内周部は下側に向かって凹んでおり、この凹みの中央に平面視正方形状の貫通孔２ｃが開口形成されている。また、テント膜２の額縁状をした上端部２ｄの四隅には、テント膜２を支持部材３に繋いで連結するための連結具２ｅがそれぞれ設けられている。
【００３４】
図４（ｂ）に示すように、テント膜２は、その正面、背面、及び、左右両側面が二等辺三角形状をしており、その外形が逆四角錐をした逆錐体状となっており、具体的には図４（ａ）及び図４（ｂ）に示すように、弛みや歪みのない状態で、その上面２ｂが逆四角錐をした逆錐体状の凹面であって当該凹面の平面視中央部に底部２ｂ１を有し、その下面２ａが逆四角錐をした逆錐体状の凸面であって当該凸面の平面視中央部に頂部２ａ１を有している。
【００３５】
なお、テント膜２の外形は、その下面２ａが無風状態で下向きに凸状となり且つその上面２ｂが無風状態で下向きに凹状となるものであれば、逆四角錐をした逆錐体状に限定されるものではなく、例えば、逆三角錐、逆五角錐、逆六角錐、逆八角錐、逆円錐その他の逆錐体状、半円球状、椀状、山形その他の起伏形状、又は、これらの起伏形状を組み合わせたものであっても良い。
【００３６】
また、このようにテント膜２を逆錐体状の形態とすることで、テント１は、テント膜２の下面２ａの頂部２ａ１の周囲、即ち、テント膜２の下面２ａの中央周りに空間を作りだすことができ、この空間が外部に開けた状態となるので、従来のテント１に比べて利用者に開放感を与えることができる。
【００３７】
これら図４に示すように、逆四角錐をしたテント膜２における４つの側面部分は二等辺三角形状をしたシート材で形成されており、この逆四角錐の上端部２ｄから頂部へと直線状に延びる４つの側辺部分は、テント膜２の互いに隣り合う側面部分を形成するシート材同士の縁部分を縫合することで形成されている。
【００３８】
この逆四角錐をしたテント膜２の４つの側辺部分は、隣り合うシート材同士の側辺同士が重なり合って縫合されることで、１枚のシート材で形成される逆四角錐の側面部分に比べて固くなって柔軟性が低くなることで曲がり難い軟骨部（以下、「側辺軟骨部」という。）となっている。この側辺軟骨部は、テント膜２の重みを支える強さはないが、テント膜の２の動きを阻害して大気流の変化に対してテント膜２の上下の揺れ動きの変化を遅延させるものである。
【００３９】
例えば、テント膜２の各側辺軟骨部によれば、上方に吹き上がった後で大気流の強さや向きが変わって下方に垂れ下がろうとするテント膜２の動きや、それとは逆に、下方に垂れ下がった後で大気流の強さや向きが変わって上方に吹き上げられようとするテント膜２の動きを邪魔したり阻害したりすることで、テント膜２の変形動作が遅れるので、大気流の細かな変化を受けてテント膜２が短い周期で単にバタつくような状態を防止でき、テント膜２をもっと大きな周期でゆっくりと上下に揺れ動かせることができ、あたかも生命が宿ったかのような趣のある揺れ動きをテント膜２に付与することができる。
【００４０】
また、テント膜２の平面視額縁状をした上端部２ｄを成す４つの底辺部分は、テント膜２の側面部分を形成するシート材の底辺部分を折り返して縫合することで筒状に底辺の延長方向に貫通した筒状となっている。また、テント膜２の上端部２ｄの筒状になった４つの底辺部分には、その筒状をした内周部に連結具２ｅとなる紐状体が当該各底辺方向に貫通するように通されており、これらの筒状をした各底辺部分の両端部から外に出た紐状体が連結部２ｅとなっている（図５（ａ）参照。）。
【００４１】
このようにテント膜２の上端部２ｄは、４つの底辺部分が筒状に縫製され、かつ、その内周部に紐状体が通されることで、テント膜２の側面部分に比べて柔軟性が低くなることで曲がり難くなっている。このため、テント膜２の４つの底辺部分も一種の軟骨部（以下「底辺軟骨部」という。）となっている。このテント膜２の４つの底辺軟骨部によれば、テント膜２の重みを支える十分な強さはないが、テント膜２の底辺部分（上端部２ｄ）を大きく撓んで垂れ下がらない程度に補強する助けになっている。
【００４２】
図５（ａ）は、図４（ａ）の部分的拡大図であって連結具２ｅの拡大平面図であり、図５（ｂ）は、図４（ａ）の部分的拡大図であってテント膜２の貫通孔２ｃの拡大平面図であり、図５（ｃ）は、図５（ｂ）のＶｃ−Ｖｃ線における縦断面図であって貫通孔２ｃの断面図である。
【００４３】
図５（ａ）に示すように、テント膜２の四隅に設けられる連結具２ｅは、テント膜２の四隅を支持部材３の４本の支柱３ａにある連結環３ｃに通して巻き付けられる輪状になったロープなどの紐状体である。なお、図示は省略しているが、テント膜２の額縁状をした上端部２ｄの四隅に設けられる４つの連結具２ｅは、どれも同じ輪状の紐状体となっている。
【００４４】
図５（ｂ）に示すように、貫通孔２ｃは平面視正方形状の開口であり、図５（ｃ）に示すように、貫通孔２ｃはテント膜２を上下方向に貫通している。
【００４５】
図６は、支持部材３の平面図であり、図７は、支持部材３の拡大正面図であり、図８は、支持部材３の拡大右側面図であり、図９（ａ）は、図７（ａ）のＩＸａ−ＩＸａ線における横断面図であり、図９（ｂ）は、図７（ａ）のＩＸｂ−ＩＸｂ線における横断面図であり、図１０（ａ）は、図７（ａ）のＸａ−Ｘａ線における横断面図であり、図１０（ｂ）は、図７（ａ）のＸｂ−Ｘｂ線における横断面図である。なお、支持部材３の背面図は正面図と同一であり、支持部材３の左側面図は右側面図と同一である。
【００４６】
図６に示すように、支持部材３は、４本の支柱３ａと、隣り合う支柱３ａ，３ａ同士を繋ぐ４本の梁３ｂとを備えている。各梁３ｂは、隣り合う２本の支柱３ａ，３ａ間に配設されており、各梁３ｂの両端部はそれぞれ支柱３ａの接続具６を介して接続されている。支持部材３は、その四隅にある４本の支柱３ａ及び４本の梁３ｂが組み合わさって平面視正方形状の枠体に形成されており、この枠体の内周部分が上下方向（図６の紙面に対する垂直方向）に貫通した平面視正方形状の開口となり、この開口全体にテント膜２が覆い被さるように取り付けられる（図３参照。）。
【００４７】
図７及び図８に示すように、支持部材３の４本の支柱３ａは、全ての同じ高さ（長さ）であり、テント設置面Ｇ（図１及び図２参照。）に対して垂直姿勢で立設されている。また、各支柱３ａの下端部にはテント設置面Ｇに各支柱３ａの転倒やズレ動きを防止するため、地中に打ち込まれる固定杭５が設けられている。
【００４８】
固定杭５は、支柱３ａの下端面に当接される基板５ａと、この基板５ａから垂直上方に向かって支柱３ａの内部へと延設される棒状体である固定埋入部５ｂと、この固定埋入部５ｂと同軸上に設けられ基板５ａから垂直下方（反支柱３ａ側）へ向かって延設される棒状体であって先端が尖った杭本体部５ｃとを備えている。固定埋入部５ｂは、固定杭５を支柱３ａに取り付けて固定するための部位であり、杭本体部５ｃはテント設置面Ｇの地中に打ち込まれて埋入される部位である。
【００４９】
また、各支柱３ａと各梁３ｂとの接続部には、支柱３ａと梁３ｂとを接続する接続具６と、支柱３ａと梁３ｂとの位置決めを行う位置決めピン７とが設けられている。図９に示すように、接続具６は、梁３ｂの両端部からその内部に螺入固定されたアンカーボルト６ａと、そのアンカーボルト６ａに螺合されるねじ軸部と支柱３ａに係合される頭部とを有した接続ボルト６ｂとを備えている。
【００５０】
また、図１０に示すように、位置決めピン７は、支柱３ａ及び梁３ｂの当接面間に埋設されており、その片側半分が支柱３ａ側面に、もう片側半分がその支柱３ａ側面と当接する梁３ｂ端面に、それぞれ抜脱可能に嵌入されている。このように位置決めピン７を支柱３ａ及び梁３ｂの当接面同士の間に嵌入することで、接続具６を用いて支柱３ａ及び梁３ｂを接続する前に、支柱３ａと梁３ｂとを所定位置に位置決めできる。
【００５１】
こうして支柱３ａ及び梁３ｂを互いに位置決めすることで、接続具６のアンカーボルト６ａのねじ穴に接続ボルト６ｂのねじ軸部をねじ込む場合に、支柱３ａに開けられた接続ボルト６ｂ用の埋め込み穴をアンカーボルト６ａのめねじ穴に対して位置合わせすることができ、接続ボルト６ｂをアンカーボルト６ａに対してねじ込み易くなる。
【００５２】
また、接続具６は、そのアンカーボルト６ａが梁３ｂの端面から突出することなく、その全体が梁３ｂの内部に埋設されている。また、接続具６は、支持部材３の組立状態で接続ボルト６ｂの頭部も支柱３ａの側面と面一となるように埋設される一方、支持部材３の解体状態で接続ボルト６ｂが支柱３ａから分離回収されるので、支持部材３の組立状態及び解体状態で接続具６が支柱３ａや梁３ｂから突出することがなく、かかる突出が邪魔で収納し辛くなったりすることがない。
【００５３】
さらに、支持部材３の全ての梁３ｂは、各支柱３ａの上端から所定高さ下側に水平に配設されており、テント設置面Ｇからの高さが概ね人が身を屈めずに出入り可能な高さとなっている。このため、梁３ｂより上側に支柱３ａの上端部が突出しており、梁３ｂよりも上方にテント膜２が吊り上げられて、テント膜２の上端部２ｄと梁３ｂとの間からもテント膜２の下側に大気流が流入可能となっている。このため、梁３ｂより下側に何らかの垂れ幕などを貼り付けたとしても、テント空間４内に大気流が流入でき、テント膜２が上下に揺れ動くようになっている。
【００５４】
また、支柱３ａの上端面には、テント膜２の連結具２ｅを繋いで巻き付けるための円環状をした連結環３ｃが取り付けられている。例えば、この連結環３ｃは、アイボルトなどの頭部がリング状となった吊りボルトであり、その軸部が支柱３ａの上端面に螺着されている。
【００５５】
次に図１１を参照して、本実施例のテント１の動作について説明する。なお、本実施例野テント１が通常のテント１と同様に日除けや雨除けとして使用できることは当然であり、この点については、詳しい説明は省略する。
【００５６】
図１１（ａ）は、テント膜２が上方に押し上げられた状態を示したテント１の縦断面図であり、図１１（ｂ）は、テント膜２が下方に垂れ下がった状態を示したテント１の縦断面図である。上記したように、テント膜２の貫通孔２ｃは、テント膜２の上面２ｂから下面２ａまで貫通している（図４（ｃ）参照。）。
【００５７】
このため、図１１（ａ）に示すように、大気流が支柱３ａ，３ａ間にある通気用開口８からテント空間４内に流入してテント膜２を上方に押し上げる場合、テント膜２を強く押し上げようとする大気流の一部を貫通孔２ｃからテント膜２の上方に逃がすことができる。また、図１１（ｂ）に示すように、大気流がテント膜２の上方から吹き下ろしてテント膜２を下方に押し下げる場合、テント膜２を強く押し下げようとする大気流の一部を貫通孔２ｃからテント膜２の下方に逃がして通気用開口８からテント空間４の外に逃がすことができる。
【００５８】
このように大気流が貫通孔２ｃを通り抜けることによって、大気流がテント膜２を押し上げ又は押し下げる力が過度に高まることを抑制でき、強風など強力な大気流でテント膜２と支持部材３との繋ぎ目に過剰な力が作用して、テント膜２が破けるなどして破損することを防止できる。
【００５９】
以上の説明した本実施例のテント１によれば、図１１（ｂ）に示す状態、即ち、テント膜２が支持部材３により支えられて空中に吊り下げられた状態で、大気流が支柱３ａ，３ａ間の通気用開口８からテント空間４へ向かって流入すると、この大気流によりテント膜２の下面２ａが押されてテント膜２が上方に押し上げられて、図１１（ａ）に示す状態、即ち、テント膜２の下面２ａが上向きに凹状となり、テント膜２の上面２ｂが上向きに凸状となった状態へと変化する。
【００６０】
一方、図１１（ａ）に示す状態、即ち、テント膜２が大気流により押し上げられて、テント膜２の下面２ａが上向きに凹状となり、テント膜２の上面２ｂが上向きに凸状になった状態で、大気流が支柱３ａ，３ａ間の通気用開口８を通じてテント空間４から外に流出すると、テント膜２が下方に垂れ下がって、図１１（ｂ）に示す状態、即ち、テント膜２の下面２ａが下向きに凸状となり、テント膜２の上面２ｂが下向きに凹状となった状態へと変化する。
【００６１】
このように本実施例のテント１は、自然風や人工風などの大気流を受けて、テント膜２が押し上げられたり押し下げられたりと、そのテント膜２が上下両面の凹凸を反転させながら不規則に上下に揺れ動き（浮き沈み）、その形態を時々刻々と変化することができ、かかる変化により風の動き（流れ）やその強さを視覚化できる。この風の視覚化によって、かかるテント１を利用する者やこれを観る者に対し、視覚を通じて風を感じさせたり、本来見えない風を視覚的に観賞する環境を提供できる。
【００６２】
また、図１１（ｂ）に示すように、テント膜２の上面２ｂが凹面状の形態をしているとき、貫通孔２ｃは、そのテント膜２の上面２ｂにある雨水等を底部２ｂ１に集めてテント膜２の下方に落下（流下）させて排水する排水孔としても機能することができる。この貫通孔２ｃを通じてテント膜２の上面２ｂから排水された雨水等は、テント設置面Ｇへと直接落下させるができる。
【００６３】
このように、テント膜２の上面２ｂが下向きに凹状になっており、しかも、この上面２ｂが平面視中央部にある底部２ｂ１に向かって下降傾斜した斜面となっており、そのうえで、かかる上面２ｂの底部２ｂ１に貫通孔２ｃが開口形成されているため、雨水等をテント膜２の上面２ｂの斜面に沿って底部２ｂ１まで集水して貫通孔２ｃから集中排水させることができる。
【００６４】
また、テント１によれば、テント膜２の平面視中央部にある貫通孔２ｃから雨水等を集中排水するので、テント膜２の外周全体で雨水等が滴り落ちる難くなり、テント膜２から滴り落ちた雨水等がテント設置面Ｇで水跳ねし難くなり、テント空間４にいる利用者が雨水等で濡れ難くなる。
【００６５】
図１２は、本実施例のテント１の設置例を示した正面図である。図１２に示すように、本実施例のテント１によれば、２つの支持部材３，３をテント膜２の幅１枚分だけ離してテント設置面Ｇに設置し、これら２つの支持部材３，３の直上にそれぞれテント膜２，２を取り付けて、２つのテント１，１を互いに離して組み立てて設置したうえで、この２つのテント１，１に跨がるようにもう一枚のテント膜２を２つの支持部材３，３間に跨がるように吊り下げることで、３枚のテント膜２を２つの支持部材３を用いて張ることができる。
【００６６】
図１３は、図１２の設置例に係るテント１の変形例を示した正面図である。図１３に示すように、本実施例のテント１によれば、３枚並べて張られたテント膜２のうちその中央に張られたテント膜２を補助柱１０を用いて上方に向かって持ち上げている。補助柱１０は、テント設置面Ｇから垂直に立設されている。この補助柱１０は、その上端部の外径が若干小さく形成されており、この上端部をテント膜２の貫通孔２ｃに挿入することで、テント膜２の下面２ａの中央部を引っ掛けて上方に持ち上げている。このように補助柱１０を使用することによって、テント膜２は、風の影響を受けることなく常時、その上面２ｂが上向きに凸状となり、且つ、その下面２ａが上向きに凹状となる。
【００６７】
図１４は、本実施例のテント１の別の設置例を示した平面図であって、図１４（ａ）は、支持部材３の設置状態を示した平面図であり、図１４（ｂ）は、図１４（ａ）に示す支持部材３を使用したテント１の設置状態を示した平面図である。
【００６８】
図１４（ａ）に示すように、４つの支持部材３を所定間隔をあけて配置する。各支持部材３同士の間隔は、上記した図１２に示したものと同様であり、それぞれテント膜２の幅１枚分である。そして、各支持部材３の上にそれぞれテント膜２を取り付けるとともに、隣り合った支持部材３，３間に相当する４箇所にはテント膜２をそれぞれ１枚ずつ計４枚張り、更に、４つの支持部材３により取り囲まれた中央部分の１箇所には、１枚のテント膜２の四隅を各支持部材３の支柱３ａにそれぞれ吊り下げることで、図１４（ｂ）に示すように、合計９枚のテント膜２を、４つの支持部材３を用いて張ることができる。
【００６９】
また、例えば、図１４に示したテント１の設置例を参考にすれば、更に、９つの支持部材３を使用することで、合計２５枚のテント膜２を張ることができ、事実上、２５基のテント１を設置することができる。このように本実施例のテント１によれば、少ない支持部材３を用いて、より多くのテント膜２を同時に設置することができる。
【００７０】
また、複数のテント膜２を隣接させて張ることができるので、より広い面積にテント１を連続させて設置することができる。また、このように多数並んだテント膜２が大気流でそれぞれ揺れ動くことで、この複数のテント１の集合体全体として独特の美感を発揮し、新たな現代アートの美術作品としての観賞価値も発揮することができる。
【００７１】
特に、テント膜２に文字や図形や色彩などを描画したり印刷することで、テント１又は複数のテント１の集合体はその美術的観賞価値を更に高めることができる。また、テント膜２に広告内容を描画・印刷することで、テント１又は複数のテント１の集合体を広告媒体としても利用することもできる。
【００７２】
図１５及び図１６を参照して、本実施例のテント２０の変形例について説明する。図１５は、第２実施例のテント２０の縦断面図であり、図１６は、図１５の部分的拡大図であって固定部材１１の構造を拡大視したものである。
【００７３】
第２実施例のテント２０は、第１実施例のテント１に対し、必要に応じてテント膜２の上下の揺れ動き制限する固定部材を加えたものである。以下、第１実施例と同一の部分には同一の符号を付して、その説明を省略し、異なる部分のみを説明する。
【００７４】
図１５に示すように、第２実施例のテント２０によれば、テント膜２はその下面２ａが下向きに凸状になって下方に垂れ下がった状態となっており、貫通孔２ｃには固定部材１１の一端部が取り付けられる。この固定部材１１は、大気流によりテント膜２に作用する上向きの力に抗してテント膜２の吹き上がりを防止するものである。例えば、固定部材１１は、ロープなどの可撓性を有する紐状体である。
【００７５】
図１６に示すように、固定部材１１は、その一端部が補助具１２を介して貫通孔２ｃの開口縁に引っ掛けられることによって当該一端部（上端部）が貫通孔２ｃに取り付けられている。また、この固定部材１１は、貫通孔２ｃを貫通してテント設置面Ｇへ向かって垂れ下がっており、その他端部（下端部）が重りなどの重量物１３に取り付けられている。
【００７６】
固定部材１１は、テント膜２の上面２ｂが下向きに凹状となり且つその下面２ａが下向きに凸状になった状態を維持するように、テント膜２の下面２ａの中央部にある貫通孔２ｃに取り付けられてテント膜２を下方に向けて引っ張る。これによって、テント膜２は、その凹面状をした上面２ｂの底部２ｂ１に雨水等を集めて貫通孔２ｃから排水させやすくなる。
【００７７】
また、固定部材１１によりテント膜２を下向きに引っ張ることで、雨天時に風が吹く場合に、テント膜２が暴れ動くことを防止でき、テント膜２の上面２ｂにある雨水等をテント膜２の上面２ｂの底部２ｂ１にある貫通孔２ｃ（排水孔）に集水しやすくもなる。
【００７８】
補助具１２は、固定部材１１の一端部を貫通孔２ｃに引っ掛けるための器具であり、その外径が貫通孔２ｃの開口部分よりも大きく形成されている。また、補助具１２には上下方向に貫通したスリット１２ａが形成されており、このスリット１２ａを通じてテント膜２の上面２ｂにある雨水等を貫通孔２ｃへ流下させることができる。さらに、補助具１２のスリット１２ａを通過した雨水等は、固定部材１１を伝って流れ落ちるので、貫通孔２ｃから落下する雨水等が飛び散りにくくなる。
【００７９】
集水容器１４は、貫通孔２ｃの真下に位置するテント設置面Ｇに設置されており、バケツなどの有底無蓋の形態を有する容器であって雨水等を貯水するものである。この集水容器１４内には、貫通孔２ｃから垂れ下がった固定部材１１の他端部が入っており、この固定部材１１の他端部には重量物１３が取り付けられている。また、重量物１３は、集水容器１４の底部２ｂ１に置かれている。このように、固定部材１１の他端部を集水容器１４内に入れることで、固定部材１１を伝って流れ落ちてきた雨水等を集水容器１４内に貯めることができ、テント設置面Ｇが雨水等で濡れることを防止できる。
【００８０】
ときに、集水容器１４に雨水等が一杯に溜まった場合には、集水容器１４を運んで、その中の雨水等を別の場所に捨てて、空になった集水容器１４を再び貫通孔２ｃの真下に置き、その中に固定部材１１の他端部と重量物１３を入れることで、再び雨水等を集水容器１４内に貯めることができる。また、集水容器１４にその内容量や深さを計測するための目盛を付けておくことで、この集水容器１４に溜まった雨水等の容量を計測したり、降水量を計測したりすることもできる。
【００８１】
なお、固定部材１１の他端部には、上記した重りなどの重量物１３に代えて、この固定部材１１の他端部に杭を取り付けても良い。さすれば、かかる杭をテント設置面Ｇとなる地面に打ち込むことによって、固定部材１１の他端部をテント設置面Ｇに固定することができる。また、固定部材１１の他端部は、予めテント設置面Ｇに固定されたアンカーなどの定着物に対して結びつけるなどして固定しても良い。
【００８２】
図１７は、第３実施例のテント３０の拡大縦断面図であって、第２実施例とは異なる固定部材の構造を図示したものである。第３実施例のテント３０は、第２実施例のテント２０に対し、固定部材の形態を変更したものである。以下、第２実施例と同一の部分には同一の符号を付して、その説明を省略し、異なる部分のみを説明する。
【００８３】
第３実施例のテント３０は、その固定部材３１が管状体である。この固定部材３１は、その一端部から他端部まで連通した内周部３１ａを有している管状（パイプ状）体であり、その一端部が貫通孔２ｃの内周に螺刻されためねじに螺入されて接続されている。また、固定部材３１の他端部は、集水容器１４体の中に入っており、固定部材３１から排水された雨水等が集水容器１４に貯留されるようになっている。また、固定部材３１はそれ自体の重みでテント膜２を下向きに引っ張るので、固定部材３１の他端部には重量物１３が取り付けられていない。
【００８４】
なお、この管状体の固定部材３１の自重が軽量である場合は、この固定部材３１の他端部に重りなどの重量物１３を取り付けても良い。
【００８５】
この第３実施例のテント３０によれば、テント膜２の上面２ｂにある雨水等は、テント膜２の上面２ｂの斜面に沿ってその底部２ｂ１に集水されて貫通孔２ｃから集水排水される。貫通孔２ｃへ流入した雨水等は管状体の固定部材３１の内周部３１ａを通って集水容器１４へと流れ落ちて、集水容器１４内に貯留される。また、テント膜２は、貫通孔２ｃに接続された固定部材３１の重みで、その下面２ａの頂部２ａ１が下向きに引っ張られるので、多少の風が吹いても、テント膜２の上面２ｂが下向きに凹状に凹んだ形態を保って貫通孔２ｃへの集水機能を維持できる。
【００８６】
なお、固定部材３１は、その形態が上記した紐状体又は管状体のいずれかに必ずしも限定されるものではなく、貫通孔２ｃからテント設置面Ｇへ向けて雨水等を流下させるものであれば良く、例えば、一端部が貫通孔２ｃに取り付けられて貫通孔２ｃに貫通してテント設置面Ｇへ向かって垂れ下がる棒状体などであっても良い。
【００８７】
図１８（ａ）は、第４実施例のテント４０の縦断面図である。第４実施例のテント４０は、第１実施例のテント１に対し、壁材を備えている支持部材に変更したものである。以下、第１実施例と同一の部分には同一の符号を付して、その説明を省略し、異なる部分のみを説明する。
【００８８】
図１８（ａ）に示すように、第４実施例のテント４０は、支持部材３の支柱３ａ及び梁３ｂに対して壁材４１をボルトなどの固定具（図示せず。）を介して固定することで、支持部材３の正面、左右両側面及び背面の支柱３ａ，３ａ間にある通気用開口８の一部を塞いだものである。具体的には、壁材４１は、支持部材３の全周にある通気用開口８のうち、梁３ｂより下側の支柱３ａ，３ａ間にある下部開口８ｂを閉塞している。通気用開口８のうち、梁３ｂより上側の支柱３ａ間にある上部開口８ａはテント空間４の内外を繋いでおり、この上部開口８ａからは大気流がテント空間４内へ流入可能となっている。
【００８９】
このように、壁材４１によって、通気用開口８のうち開口面積のより大きな下部開口８ｂを閉塞するので、テント膜２が大気流の影響を受けて上下に揺れ動き難くなるおそれはあるものの、上部開口８ａを通じてテント空間４を出入りする大気流によってテント４０膜２が上下に揺れ動くこともできる。そのうえで、下部開口８ｂを出入りする大気流を遮断できるので、テント空間４内への雨水等の流れ込みを防止でき、テント空間４内の居住性を高めることができる。
【００９０】
また、図１８（ａ）に示すように、テント４０の居住性を高めるため、テント空間４に床材４２を敷設したり、出入り用のドア４３を設けるようにしても良い。
【００９１】
なお、壁材４１に代えて、テント膜２と同様に軽量で防水性や柔軟性（可撓性）のあるシート材を使用して支持部材３の正面、左右両側面、背面の全周を囲むよう通気用開口８の下部開口８ｂを塞いでも良く、これによって、テント空間４への雨水等の流入を低減でき、かつ、大気流の流入によるテント膜２の上下の揺れ動きも確保できる。そのうえ、支持部材３の周囲を囲むシート材の大気流による揺れ動きも作り出すことができる。
【００９２】
図１８（ｂ）は、第５実施例のテントの縦断面図である。第５実施例のテント５０は、第４実施例のテント４０に対し、支持部材の支柱及び梁並びに壁材を支持壁に変更したものである。以下、第４実施例と同一の部分には同一の符号を付して、その説明を省略し、異なる部分のみを説明する。
【００９３】
図１８（ｂ）に示すように、第５実施例のテントによれば、支持部材５１は、支柱３ａ及び梁３ｂ並びに壁材４１に代えて、テント５０の正面、左右両側面及び背面にこれらの面を塞ぐ支柱の代わりとなる耐力壁でもある支持壁５１ａをそれぞれ立設し、これら支持壁５１ａを互いに接続具（図示せず）を介して接続し、テント空間４の全周を囲んで塞んだものである。
【００９４】
４枚の支持壁５１ａの上端部には、支持部材３の平面視正方形状の四隅に連結環３ｃが取り付けられており、４つの連結環３ｃ及びテント膜２にある４つの連結具２ｅを介して、支持部材３の上部にテント膜２が空中に吊り下げられた状態で支えられる。
【００９５】
また、４枚の支持壁５１ａは、その上部にテント空間４に連通する通気用開口８の上部開口８ａに相当する開口が形成されており、この上部開口８ａを通じてテント空間４の内外を出入りする大気流によってテント膜２が上下に揺れ動けるようになっている。
【００９６】
以上、実施例に基づき本発明を説明したが、本発明は上記実施例に何ら限定されるものではなく、本発明の趣旨を逸脱しない範囲内で種々の改良変形が可能であることは容易に推察できるものである。
【００９７】
例えば、本実施例のテント１では、テント膜２を支持部材３の４本の支柱３ａにより支えたが、かかる支柱３ａの本数は必ずしも４本に限定されるものではなく、例えば、テント膜を１〜３本又は５本以上の支柱で支えるようにしても良い。
【００９８】
例えば、１本又は２本の支柱でテント膜を支える場合は、この支柱の上端部から複数方向に枝分かれする複数本の腕木を設け、この複数本の腕木にそれぞれ連結環３ｃを設けて、この複数の連結環３ｃにテント膜の連結具２ｅをそれぞれ巻き付けて、テント膜２を支柱から吊り下げるようにしても良い。また、３本の支柱を使用する場合は、テント膜の形状を逆三角錐状をした逆錐体状としても良く、５本の支柱を使用する場合は、テント膜の形状を逆五角錐状をした逆錐体状としても良い。
【符号の説明】
【００９９】
１，２０，３０，４０，５０  テント
２                          テント膜
２ａ                        テント膜の下面
２ｂ                        テント膜の上面
２ａ１                      頂部
２ｂ１                      底部
２ｃ                        貫通孔
３，５１                    支持部材
１１，２１                  固定部材
１３                        重量物
【図１】
2019178553.tif 000003
【図２】
2019178553.tif 000004
【図３】
2019178553.tif 000005
【図４】
2019178553.tif 000006
【図５】
2019178553.tif 000007
【図６】
2019178553.tif 000008
【図７】
2019178553.tif 000009
【図８】
2019178553.tif 000010
【図９】
2019178553.tif 000011
【図１０】
2019178553.tif 000012
【図１１】
2019178553.tif 000013
【図１２】
2019178553.tif 000014
【図１３】
2019178553.tif 000015
【図１４】
2019178553.tif 000016
【図１５】
2019178553.tif 000017
【図１６】
2019178553.tif 000018
【図１７】
2019178553.tif 000019
【図１８】
2019178553.tif 000020